(57)【要約】モバイルエンタテインメントおよび情報システムは、携帯電話相互接続機能と、後に既存の携帯電話ネットワークを通して要求される音楽またはビデオ選択の確認のためのユーザインタフェースとを具備する。例えば、そこに選択物をＰＣからダウンロードするために、ＰＣに接続するためのＵＳＢポートとともに、ＣＤ／ＤＶＤプレーヤが具備されても良い。前記ユニットは、携帯電話およびＰＤＡ（personal digital assistant）およびウェブブラウザ、および音楽プレーヤおよびビデオプレーヤとして働いても良い。
2006525737.tif 000002
【特許請求の範囲】
【請求項１】
オーディオおよび／またはビデオ選択物（selections）をユーザに提示する装置であって、
プロセッサと、
前記プロセッサに接続されるとともに、ユーザが特定のオーディオおよび／またはビデオ選択物を識別するユーザインタフェースと、
前記プロセッサに接続される無線モデムと、
オーディオおよび／またはビデオ形式で前記特定の選択物をユーザに対して提示する提示装置と
を具備し、
前記無線モデムは、携帯電話ネットワーク上でプロバイダへ前記特定の選択物の識別子（identity）を送信し、且つ、前記携帯電話ネットワークを介して前記プロバイダから電子フォーマットの前記選択物を受信する
ことを特徴とする装置。
【請求項２】
前記提示装置に接続される光学記憶媒体読取装置をさらに具備し、前記光学記憶媒体は、前記提示装置によって提示可能なオーディオおよび／またはビデオ情報に関するものであることを特徴とする請求項１に記載の装置。
【請求項３】
前記光学記憶媒体は、音楽ＣＤおよび／またはＤＶＤであることを特徴とする請求項２に記載の装置。
【請求項４】
前記提示装置に接続される磁気記憶媒体読取装置をさらに具備し、前記磁気記憶媒体は、前記提示装置によって提示可能なオーディオおよび／またはビデオ情報に関するものであることを特徴とする請求項１に記載の装置。
【請求項５】
持続性記憶媒体読取装置をさらに具備することを特徴とする請求項１に記載の装置。
【請求項６】
前記持続性記憶媒体は、リムーバブルフラッシュメモリであることを特徴とする請求項５に記載の装置。
【請求項７】
前記特定の選択物は、インターネットを介して取得されることを特徴とする請求項１に記載の装置。
【請求項８】
前記無線モデムは、携帯電話相互接続性を利用することを特徴とする請求項１に記載の装置。
【請求項９】
前記無線モデムは、別のユーザとの携帯電話接続を確立するために構成されることを特徴とする請求項８に記載の装置。
【請求項１０】
前記特定の選択物は、ストリーミングメディア形式で前記無線モデムによって受信されることを特徴とする請求項１に記載の装置。
【請求項１１】
前記特定の選択物は、圧縮データファイルとして前記無線モデムによって受信されることを特徴とする請求項１に記載の装置。
【請求項１２】
前記プロセッサは、インターネット閲覧機能を有することを特徴とする請求項１に記載の装置。
【請求項１３】
前記プロセッサは、ＰＤＡ（personal digital assistant）として構成され、コンタクト記憶装置およびカレンダー機能を有することを特徴とする請求項１に記載の装置。
【請求項１４】
前記プロセッサは、前記プロセッサによって電子メールを送信することおよび受信することができるような電子メール機能を有することを特徴とする請求項１に記載の装置。
【請求項１５】
データソースへデータを伝送するために、且つ、データソースからデータを伝送するために、前記データソースに前記プロセッサを接続する接続ポートをさらに具備することを特徴とする請求項１に記載の装置。
【請求項１６】
前記接続ポートは、ＵＳＢポートであることを特徴とする請求項１５に記載の装置。
【請求項１７】
取り外し可能なＬＣＤタブレットをさらに具備することを特徴とする請求項１に記載の装置。
【請求項１８】
前記取り外し可能なＬＣＤタブレットは、前記プロセッサと無線で通信を行うことを特徴とする請求項１に記載の装置。
【請求項１９】
前記ユーザインタフェースは、マイクロホンを有し、前記プロセッサは前記マイクロホンを介して受信される音声入力を認識するよう構成されることを特徴とする請求項１に記載の装置。
【請求項２０】
前記ユーザインタフェースは、タッチパッドを有することを特徴とする請求項１に記載の装置。
【請求項２１】
オーディオおよび／またはビデオ選択物をユーザに提示する装置であって、
処理手段を具備し、
ユーザが特定のオーディオおよび／またはビデオ選択物を確認することを可能にするための手段と、
携帯電話ネットワーク上でプロバイダへ前記特定の選択物の識別子を伝達するため、および、前記携帯電話ネットワークを介して前記プロバイダから電子フォーマットの前記選択物を受信するために前記処理手段に接続される手段と、
オーディオおよび／またはビデオ形式で前記特定の選択物をユーザに対して提示するための手段と
を具備することを特徴とする装置。
【請求項２２】
前記提示手段に接続される光学記憶媒体読取手段をさらに具備し、前記光学記憶媒体は、前記提示手段によって提示可能なオーディオおよび／またはビデオ情報に関するものであることを特徴とする請求項２１に記載の装置。
【請求項２３】
前記光学記憶媒体は、音楽ＣＤおよび／またはＤＶＤであることを特徴とする請求項２２に記載の装置。
【請求項２４】
前記提示手段に接続される磁気記憶媒体読取装置をさらに具備し、前記磁気記憶媒体は、前記提示手段によって提示可能なオーディオおよび／またはビデオ情報に関するものであることを特徴とする請求項２１に記載の装置。
【請求項２５】
持続性記憶媒体読取手段をさらに具備することを特徴とする請求項２１に記載の装置。
【請求項２６】
前記持続性記憶媒体は、リムーバブルフラッシュメモリであることを特徴とする請求項２５に記載の装置。
【請求項２７】
前記特定の選択物は、インターネットを介して取得されることを特徴とする請求項２１に記載の装置。
【請求項２８】
前記伝達するためおよび受信するための手段は、携帯電話相互接続性を利用することを特徴とする請求項２１に記載の装置。
【請求項２９】
前記伝達するためおよび受信するための手段は、別のユーザとの携帯電話接続を確立するために設計されることを特徴とする請求項２８に記載の装置。
【請求項３０】
前記特定の選択物は、ストリーミングメディア形式で前記送信するためおよび受信するための手段によって受信されることを特徴とする請求項２１に記載の装置。
【請求項３１】
前記特定の選択物は、圧縮データファイルとして前記伝達するためおよび受信するための手段によって受信されることを特徴とする請求項２１に記載の装置。
【請求項３２】
前記処理手段は、インターネット閲覧機能を有することを特徴とする請求項２１に記載の装置。
【請求項３３】
前記処理手段は、ＰＤＡ（personal digital assistant）として構成され、コンタクト記憶装置およびカレンダー機能を有することを特徴とする請求項２１に記載の装置。
【請求項３４】
前記処理手段は、前記処理手段によって電子メールを送信することおよび受信することができるような電子メール機能を有することを特徴とする請求項２１に記載の装置。
【請求項３５】
データソースへデータを伝送するために、且つ、データソースからデータを伝送するために、前記データソースに前記処理手段を接続する接続手段をさらに具備することを特徴とする請求項２１に記載の装置。
【請求項３６】
前記接続手段は、ＵＳＢポートであることを特徴とする請求項３５に記載の装置。
【請求項３７】
取り外し可能な表示手段をさらに具備することを特徴とする請求項２１に記載の装置。
【請求項３８】
前記取り外し可能な表示手段は、前記処理手段と無線で通信を行うことを特徴とする請求項２１に記載の装置。
【請求項３９】
前記ユーザインタフェースは、マイクロホンを有し、前記処理手段は前記マイクロホンを介して受信される音声入力を認識するよう設計されることを特徴とする請求項２１に記載の装置。
【請求項４０】
前記ユーザインタフェースは、タッチパッドを有することを特徴とする請求項２１に記載の装置。
【発明の詳細な説明】
【技術分野】
【０００１】
本発明は、モバイルエンタテインメント／情報装置に関するものである。より詳しくは、本発明は、無線基盤多目的エンタテインメント／情報システムに関するものである。
【０００２】
この出願は、発明の名称を“Wireless Network Entertainment And Information Device”としてNicholas Earle Brathwaite、Patrick Louis Meagher、John-Paul Pizana Canaによって２００３年３月２１日に出願された、米国仮出願番号６０／４５６，８９７に基づく優先権を主張するもので、その内容の全体はここに組み込まれる。
【背景技術】
【０００３】
一般的に、モバイルエンタテインメントユニットは、情報を転送するために無線信号を用いる。例えば、衛星基盤無線は、消費者にオーディオプロダクトを配信するのに利用されている。しかしながら、そのようなシステムは、単一機能的であるとともに、一方向的である。このことは、配信されるのは１つのプロダクトのみであり、且つ、プロダクトは、提供者から消費者へのみ流れることを意味する。
【０００４】
その他のモバイルエンタテインメントシステムでは、プロダクトが消費のためにオンボードで内在していることを要求する。この場合の例には、ＭＰＥＧ３（ＭＰ３）プレーヤが含まれる。前述のユニットは、その装置内に既に存在しているファイルを使用して特定の機能を行うことしかできない。選択を変更するためには、一般的に、プレーヤが、既にファイルを持つコンピュータに接続するとともに、その後、これらのファイルがターゲットユニットにダウンロードされなければならない。接続が断たれると、既に存在するファイル以外の他のファイルはアクセスされることはない。
【発明の開示】
【発明が解決しようとする課題】
【０００５】
本発明により、オーディオおよび／またはビデオ選択物をユーザに提示するための装置を提供する。
【課題を解決するための手段】
【０００６】
プロセッサと、前記プロセッサに接続されるとともに、ユーザが特定のオーディオおよび／またはビデオ選択物（selection）を識別するユーザインタフェースと、前記プロセッサに接続される無線モデムとを具備する。前記無線モデムは、携帯電話ネットワーク上でプロバイダへ前記特定の選択物の識別子を送信し、且つ、前記携帯電話ネットワークを介して前記プロバイダから電子フォーマットの前記選択物を受信する。オーディオおよび／またはビデオ形式で前記特定の選択物をユーザに提示する提示装置が具備される。前記提示装置は、いかなる、すなわち全てのスピーカセット、およびＬＣＤのようなディスプレイを含んでも良い。
【発明を実施するための最良の形態】
【０００７】
本発明の多くの利点は、添付の図面と併せて本明細書を読むことで、当業者にとって容易に理解される。添付の図面において、同じ参照数字は、同じ構成要素に付与されている。
添付の図面において、図１は、本発明の実施形態の基本概念的なブロック図である。
図１Ａは、本発明による取り外し可能なＬＣＤタブレットを有するシステムの概略図である。
図１Ｂは、本発明によるカーステレオのような外部オーディオシステムを接続するために適用されるシステムの概略図である。
図２は、本発明によるシステムのブロック図である。
図３は、本発明によるシステムのより詳細なブロック図である。
図４は、本発明によるシステムの３次元図である。
図５は、本発明による代替システムの３次元図である。
図６は、本発明によるもう一つの代替システムの３次元図である。
図６Ａは、本発明によるディスプレイの図である。
図７は、本発明による、連結可能なＬＣＤタブレットを有するもう１つの代替システムの３次元図である。
図７Ａは、連結されたＬＣＤタブレットの回転可能な特質を示す、図７のシステムの側面図である。
【０００８】
本発明は、多機能モバイルエンタテインメント配送システムを意図している。また、本発明は、多機能モバイルデジタルデータ配送システムを意図している。
【０００９】
図１は、本発明の実施形態の概念的なブロック図である。モバイルエンタテインメントシステム１００は、無線データインタフェース１０２を有する。前記インタフェース１０２は、処理回路１１２に連結される。
【００１０】
前記処理回路１１２は、そのユニットの機能の様々な面を制御する。これは、様々な付属回路の制御と、ファイル保存のようなシステムレベルの機能の実行と、ユーザ入力の処理と、デジタルオーディオおよび／またはビデオ信号内のオーディオおよび／またはビデオ形式の処理とを含む。
【００１１】
オーディオ出力１０４およびビデオ出力１０６が具備される。ユーザインタフェース回路（ＵＩ）１１０と同様に、コンピュータアダプタポート１０８もまた具備される。
【００１２】
前記ＵＩ  １１０は、ボタン（１１６）と、トラックボール（図示せず）とキーパッド（１１８）のような、ユーザとユニットの間での情報転送を容易にする全ての特徴を有していても良い。これらは、単に例としてのみであり、当業者に既知であり、通常、ＵＩに関連して用いられる他の装置もまた含まれる。
【００１３】
前記アタプタポート（１０８）は、情報交換するために、ＵＳＢ（Universal Serial Bus）ポート、言い換えると、デスクトップコンピュータのようにシステム１００を他のシステム（図示せず）に接続させるように動作する、同等または類似機能でも良い。別のアダプタは、一般的にハードワイヤードデータネットワークにおいて動作するようなネットワーク接続ポートでも良い。また、パーソナルコンピュータまたは他の装置への、多くの種類の接続装置が知られており、本明細書に記載される範囲内で考慮される。
【００１４】
前記システム１００には、任意に、外部記憶媒体を直接読み込むことが可能な外部記憶媒体アダプタ１１４が設けられている。外部記憶媒体は、例えばＣＤ（compact discs）またはＤＶＤ（digital video discs）または他の光学あるいは磁気記憶媒体を含む。
【００１５】
実際には、システム１００は外部ネットワークから前記インタフェース１０２を通ってデジタルデータを受信する。この目的のために、第３世代（３Ｇ）携帯電話接続の利用について後述するように、携帯電話の相互接続に利用する無線モデム技術が用いられる。このような技術には、外部情報ネットワークから受信および／または外部情報ネットワークへ送信する、ＣＤＭＡ（code-division multiple access）技術またはＵＭＴＳ（Universal Mobile Telecommunications System）技術が含まれる。このように、前記システム１００は、既存の携帯電話のインフラストラクチャを用いて無線リアルタイム接続を取得することができる。
【００１６】
処理の間、ユーザは、前記ＵＩ  １１０を通して選択をする。ユーザは、例えば特定の歌、または特定のフォーマット、または聴取用の特定のウェブキャスト型マテリアル（material）を選択する。制御回路１１２は、ユーザの選択を解釈し、且つ、選択物（selection）の要求を開始する。この要求は、ネットワーク無線データインタフェース回路１０２に転送される。その後、この要求は、従来の方法に則って、既存の携帯電話チャネルを通して適切なプロバイダ（図示せず）に送信される。
【００１７】
その後、ある時、前記インタフェース１０２は、従来の携帯電話ネットワークを通して、要求されたメディアを受信するとともに、その後、続けて、ディスプレイ１０６を通してビデオ形式で、またはスピーカ１０４を通してオーディオ形式で、またはその両方でユーザに提示する。
【００１８】
上記されているように、前記システム１００が、インターネット“ウェブキャスト”選択物（selections）を受信および再生する、または、ＭＰ３ファイルのような圧縮データ形式を経由して特定の選択物をダウンロードする、または、ＵＩ  １１０を通して他のアプリケーションと相互に作用し合うために利用されても良い。選択物は、ストリーミングメディア（media）形式でも良い。
【００１９】
代わりに、または加えて、前記システムは、ＰＤＡ（personal digital assistant）として構成されることにより、カレンダーと、コンタクトリポジトリ（contacts repository）と、インターネット閲覧機能と、電子メールアクセスおよび相互作用等とを提供するために動作させても良い。これらの機能は、上述のプロセスによる歌のデジタルメディアのような他の情報の回収と同時に行っても良い。
【００２０】
このようにして、前記システムは、メディアプレーヤおよびＰＤＡの機能と、携帯電話（後述）とを１つの装置に統合する。前記メディアプレーヤ機能に依存して、ユーザはマテリアルの“プレイリスト（playlist）”をあらかじめ定義することができる。前記プレイリストは、無線接続を介したネットワークとの相互作用を通して定義されても良く、または、外部ソースからダウンロードしても良い。この場合、前記プレイリスト機能が選択されると、システムは、ネットワークから個々のファイルを取って来る（fetch）とともに、それらを特定の順序で再生する。もしくは、その順序はランダムでも良い。
【００２１】
前記ＵＩ  １１０は、ユーザ相互作用機能だけでなく、記述的出力（descriptive output）を含んでも良い。前記出力は、ネットワーク位置情報（URL）、またはチャネル記述、またはプレイリスト情報のような項目を含んでも良い。このように、ユーザは、特定のソースまたはセッションの内容を知る。また、前記ＵＩ  １１０の出力は、インターネット、または、例えば、ＧＰＳ（図示せず）またはデジタル温度計（図示せず）を用いて現場を通して取得可能な、温度、位置、および／または方角情報を包含する、他の情報内容を含んでも良い。
【００２２】
前記ＵＩ  １１０は、データインタフェースとしての利用のために、キーパッド（図示せず）を接続しても良い。メニューセレクタまたはコントロール装置（例えばタッチパッド経由のカーソル制御）の利用もまた考慮される。これは、ユーザが、インタフェースを通してより容易に横断（traverse）することを可能にする。
【００２３】
前記ＵＩ  １１０は、取り外し可能なＬＣＤタブレットに接続しても良い。図１Ａに、これをより詳細に示す。本図において、前記システムは、ハウジング（housing）１２０の中に収容され、その中でＬＣＤタブレット１２２は、ハウジング１２０に取り外し可能なように接続される。このように、前記システム１００は、現行のネットワークで使用可能な多くの装置のように利用しても良い。前記取り外し可能なＬＣＤタブレット１２２は、容易な記憶装置と携帯性とを可能にさせる。
【００２４】
また、前記ＬＣＤタブレット１２２は、容易な記憶装置用の前記ユニットとほぼ同一平面を成す位置に前記タブレットを折り重ねることができるとともに、複数のポイントから見ることを可能にするために前記ユニットに回動可能に取り付けても良い。図１Ａに、回動動作を曲線矢印で示す。前記ＬＣＤは、その表面がユーザの指またはスタイラスによる接触に反応するタッチスクリーンタイプによって構成しても良い。前記接触は、システムの動作をコントロールする既知の方法である。これは、キーパッドがＬＣＤスクリーン１２２に表示される電話キーパッドのような動作に特に有用であるとともに、ユーザにとって、表示されたボタンに触れることによって所望の数字、または動作を“ダイヤルする”ことは易しい。
【００２５】
さらに、前記ＬＣＤタブレット１２２とオーディオ出力装置との間に無線リンクを用いても良い。この場合、作動するユニット間のリンクを形成するために、ブルートゥースプロトコルで知られるような技術を利用しても良い。
【００２６】
前記システム１００が、音声起動可能な携帯電話機能を提供することが予想される。後者の場合、マイクロホンのようなボイスイン（voice in）装置１１５（図１）が、ユーザの音声入力を、処理回路１１２が既知の音声認識アルゴリズムを用いて、実行可能な携帯電話コマンドに解釈することができる電気信号に変換しても良い。これらには、音声入力された電話番号またはメモリ記憶された電話番号をダイヤルする、または、他の無数のモデム携帯電話機能を行うコマンドが含まれる。前記音声起動は、前記ユニットを“携帯電話”モードに切り替える（toggle）ために、または、エンタテインメントシステム用のスピーカミュート機能を引き起こすために用いられても良い。
【００２７】
他の電話または装置との通信は、ハードワイヤードネットワークリンクまたは既存の無線携帯電話インフラストラクチャを用いた基盤無線リンクのいずれかを通して行われても良い。
【００２８】
前記マイクロホン１１５もまた、音声起動された無線チューニングまたは選択の機能のような、前記ユニットのための幅広い機能が可能である。
【００２９】
前記システム１００への電源は、内部ソース（図示せず）から、または自動車のライター口（outlet）のような外部ソースから加えられても良い。自動車用途を意図する場合、システム１００から出て行く音声を、直接に自動エンタテインメントシステムへ接続する機能、および既存のスピーカを用いる機能は、容易に提供される。図１Ｂに見られるように、ユニット１２０のオーディオ出力１２４は、自動エンタテインメントシステム１２８のオーディオ入力１２６に連結される。
【００３０】
代わりに、または加えて、ユニット１２０は、ハンドル１３０と、スピーカ１３２と、バッテリーパック（図示せず）とを具備しても良い。また、前記ユニット１２０は、自動車内のスロット、または自動車中外で場所の交換可能な自動車オーディオシステムに接続しても良い。前述と同様のユニットを、ＰＤＡ／携帯電話／パーソナルステレオシステム装置を組み合わせたものに利用しても良い。
【００３１】
図２は、図１の概念的なブロック図よりも詳細に示した前記システムの基本概念図である。ユニット２００は、ＤＳＰ（digital signal processing）回路２０４を具備する。また、ユニット２００は、ネットワーク接続上で得られるオーディオファイルの処理能力がある専用ネットワークオーディオプロセッサ（図示せず）を具備しても良い。
【００３２】
ディスプレイ２０８およびステレオ出力ポート２１０が、パーソナルコンピュータインタフェース２１２として具備される。ＣＤ（compact discs）またはＤＶＤ（digital video discs）または他の光学記憶媒体または磁気記憶媒体のような外部ソースからデータを入力されることが可能なオーディオイン回路２１４が具備される。また、前記ユニットは、ハードディスクまたはフラッシュメモリまたは他の持続性記憶装置（persistent storage devices）のような、読み書き可能な型式のオンボードメモリを具備しても良いことは、良く理解されている。
【００３３】
前記処理回路は、無線モデム２１６と連結される。第１実施形態において、前記無線モデム２１６は、前記ユニットをＰＣＳ／セルラー無線２１７に接続する。前記接続は、例えば、ＵＭＴＳ接続、または１ｘＲＴＴ技術を経由したものでも良い。任意のマイクロホン２１８およびスピーカ２２０は、ユーザが携帯電話レベルで前記ユニットにアクセスし、且つ、携帯電話のように直接前記ユニットを利用することを可能にする前記モデム２１６に接続しても良い。
【００３４】
図３は、本発明を実施するために用いられる特定の装置（ボックス）を示す、詳細な概念図である。これらの装置の一部または全ては、本発明の技術思想および範囲から逸脱しない類似機能全般を提供する、同様または異なるベンダの他の装置で取り替えられても良い。この機能は、直接、記憶媒体にアクセスする機能と、パーソナルコンピュータまたは類似の処理装置への接続と、ＬＣＤディスプレイと、キーパッドボタンと、オーディオ出力と、持続的記憶装置を備えることとを含む。
【００３５】
図３に見られるように、前記システムは、前記制御と、異なる装置および能力の調整機能とを行うＤＳＰ  ３０１を具備する。リムーバブルフラッシュメモリ３０３およびハードディスク３０５のような持続性記憶装置は、前記システム用の記憶容量を有する。一方、ＤＲＡＭ３０７は、高速メモリアクセスが可能である。ＣＤオーディオまたはＣＤ−ＲＯＭまたはＣＤ−Ｒまたは類似のメディア記憶媒体用の、再生装置３０９と接続するためのＣＤデコーダが設けられる。ラウドスピーカ３１１とヘッドセット３１３とマイクロホン３１５とキーパッドボタン３１７とＬＣＤ装置３１９とを含む様々なユーザインタフェース装置が、プロセッサ３０１と通信する。ＵＳＢポート３２１は、パーソナルコンピュータ（図示せず）のような他の装置と接続可能である。
【００３６】
図３のシステムは、ＤＳＰおよびモバイルステーションモデム３２３の利用を通して、ネットワーク接続部に接続する。携帯電話ネットワークとの通信は、モバイルステーションモデム３２３を介して従来の方法で行われる。前記オーディオ入力および出力は、前記モデムに直接に接続される（配線３３１）ことにより、前記モデムが直接に携帯電話モードで利用することができる。補助的な構成として、電源管理部３２５と、ベースバンド−ｔｏ−ＲＦプロセッサ３２７およびＲＦ−ｔｏ−ベースバンドプロセッサ３２９とが含まれる。
【００３７】
図４，５，６，および７は、本発明によるさまざまなユニットの外部的特徴を詳述する。図４に、特に自動車の用途に適用されるユニット４００を示す。ユニット４００には、ＣＤとアクセスするためのスロット４０１が設けられている。また、ｔａｌｋ／ｎｅｔ／ｅｎｄボタン４０４を含む、携帯電話およびデータインタフェース用キーパッドＭＭＩ  ４０３が設けられている。さらに、ｍｅｎｕ／ｆｅａｔｕｒｅセレクタコントロール４０５が設けられている。ＵＳＢポート４０７およびリムーバブルミニディスクドライブ４０９が示してある。ＬＣＤディスプレイ４１１は、例えば、ｗｅｂ／ｈｔｍｌ／ｃｈａｎｎｅｌ記述、温度、方角等の例を表示している。
【００３８】
図５に、特徴をより少なくしたユニット５００を示す。これらの特徴は、ディスプレイ５０１と、ｍｅｎｕ／ｆｅａｔｕｒｅセレクタコントロール５０３と、ＵＳＢポート５０５と、リムーバブルミニディスクドライブ５０７と、ＣＤにアクセスするためのスロット５０９と、ＬＣＤディスプレイ５１１とを含む。
【００３９】
図６および６Ａに、接続可能なＬＣＤタブレット６０１を有するユニット６００を示す。図７は、適所に接続されているＬＣＤタブレットを備えた前記ユニット６００を示している。図７Ａは、図７の前記ユニットの側面図であるとともに、接続可能なＬＣＤタブレット６０１の回動動作を示している。また、図７Ａには、取り外し可能なスピーカ７０１とバッテリパック７０３とが示されている。
【００４０】
上記は、本発明を実施する例示的な態様であり、限定することを意図しない。本発明の技術的思想と範囲とから逸脱しない変更が可能であることは、通常の当業者には明らかである。
【図面の簡単な説明】
【００４１】
【図１】本発明の実施形態の基本概念的なブロック図である。
【図１Ａ】本発明による取り外し可能なＬＣＤタブレットを有するシステムの概略図である。
【図１Ｂ】本発明によるカーステレオのような外部オーディオシステム接続に適用されるシステムの概略図である。
【図２】本発明によるシステムのブロック図である。
【図３】本発明によるシステムのより詳細なブロック図である。
【図４】本発明によるシステムの３次元図である。
【図５】本発明による代替システムの３次元図である。
【図６】本発明によるもう一つの代替システムの３次元図である。
【図６Ａ】本発明によるディスプレイの図である。
【図７】本発明による、連結可能なＬＣＤタブレットを有するもう１つの代替システムの３次元図である。
【図７Ａ】連結されたＬＣＤタブレットの回転可能な特質を示す、図７の側面図である。
【符号の説明】
【００４２】
１００  モバイルエンタテインメントシステム（システム）
１０２  無線データインタフェース（インタフェース、ネットワーク無線データインタフェース回路）
１０４  オーディオ出力（スピーカ）
１０６  ビデオ出力（ディスプレイ）
１０８  コンピュータアダプタポート（アダプタポート）
１１０  ユーザインタフェース回路（ＵＩ）
１１２  処理回路（制御回路）
１１５  ボイスイン装置（マイクロホン）
１１６  ボタン
１１８  キーパッド
１２０  ハウジング（ユニット）
１２２  ＬＣＤタブレット（ＬＣＤスクリーン）
１２４  オーディオ出力
１２６  オーディオ入力
１２８  自動エンタテインメントシステム
１３０  ハンドル
１３２  スピーカ
２００  ユニット
２０４  ＤＳＰ回路
２０８  ディスプレイ
２１０  ステレオ出力ポート
２１２  パーソナルコンピュータインタフェース
２１４  オーディオイン回路
２１６  無線モデム（モデム）
２１７  ＰＣＳ／セルラー無線
２１８  マイクロホン
２２０  スピーカ
３０１  ＤＳＰ（プロセッサ）
３０３  リムーバブルフラッシュメモリ
３０５  ハードディスク
３０７  ＤＲＡＭ
３０９  プレイバック装置
３１１  ラウドスピーカ
３１３  ヘッドセット
３１５  マイクロホン
３１７  キーパッドボタン
３１９  ＬＣＤ装置
３２１  ＵＳＢポート
３２３  モバイルステーションモデム
３２５  電源管理部
３２７  ベースバンド−ｔｏ−ＲＦプロセッサ
３２９  ＲＦ−ｔｏ−ベースバンドプロセッサ
３３１  配線
４００  ユニット
４０１  スロット
４０４  ｔａｌｋ／ｎｅｔ／ｅｎｄボタン
４０３  キーパッドＭＭＩ
４０５  ｍｅｎｕ／ｆｅａｔｕｒｅセレクタコントロール
４０７  ＵＳＢポート
４０９  リムーバブルミニディスクドライブ
４１１  ＬＣＤディスプレイ
５００  ユニット
５０１  ディスプレイ
５０３  ｍｅｎｕ／ｆｅａｔｕｒｅセレクタコントロール
５０５  ＵＳＢポート
５０７  リムーバブルミニディスクドライブ
５１１  ＬＣＤディスプレイ
６００  ユニット
６０１  ＬＣＤタブレット
７０１  スピーカ
７０３  バッテリパック
【図１】
2006525737.tif 000003
2006525737.tif 000004
【図１Ｂ】
2006525737.tif 000005
【図２】
2006525737.tif 000006
【図３】
2006525737.tif 000007
【図４】
2006525737.tif 000008
【図５】
2006525737.tif 000009
【図６】
2006525737.tif 000010
【図７】
2006525737.tif 000011
【国際調査報告】
2006525737.tif 000012